(57)【要約】【課題】両刃を有する従来のシートカッターは同一平面上に刃を入れていたため、カッターナイフの刃を使用する際、いずれか一方の刃を小さく折らないと両方の刃が同一平面に入らず、刃の交換が多く手間がかかった。また、両方の刃を折らずに同一平面上に配置すると、刃同士を交差させないようシートカッター自体の大きさを大きくしなければならないため、短い距離のシートクロス切断などで使いづらいという欠点があった。【解決手段】本発明は、本体部の中板の片面にカッター刃が通る溝を設け、本体部の逆面に立体的に傾斜をつけた、カッター刃の台を設け、前記カッター刃を、前記溝と台の上を交差スライドさせ、ガイド板の同一面に刃先が出せることを特徴とするシートカッターである。【選択図】図１
2014113447.tif 000002
【特許請求の範囲】
【請求項１】
第１の刃と、
第２の刃と、
前記第１の刃と前記第２の刃を収納する本体と、
前記本体と接続されたガイド板とを有し、
少なくとも前記第１の刃の一部は、少なくとも前記第２の刃の一部と立体的に交差する
ことを特徴とするカッター。
【請求項２】
前記ガイド板は、前記本体と可動的に接続されており、
前記本体が前記ガイド板に対して可動することにより前記第１の刃又は前記第２の刃の位置が前記ガイド板に対して変化することを特徴とする請求項１に記載のカッター。
【請求項３】
前記第１の刃の先端と前記第２の刃の先端を結んだ線と、ガイド板は略平行であることを特徴とする請求項３に記載のカッター。
【請求項４】
前記ガイド板は、前記第１の刃又は前記第２の刃よりも外側の位置で本体に接続されることを特徴とする請求項１に記載のカッター。
【請求項５】
前記ガイド板をローラー状にしたことを特徴とする請求項１に記載のカッター。
【請求項６】
前記ガイド板の中央部が凹状であることを特徴とする請求項１に記載のカッター。
【発明の詳細な説明】
【技術分野】
【０００１】
この発明は、ノンスプリットシートや壁紙などを切るシートカッターに関し、立体的に刃を組み込むようにした立体構造シートカッターに関する。
【背景技術】
【０００２】
シートを切断する際、直定規とカッターナイフを使用してシートを切断する方法が一般的である。しかし、この方法ではノンスプリットシートなどの凹凸に沿って真っすぐ切断しづらいという欠点があった。そこで本願発明者は、下記特許文献１のように、シートをきれいに切断することができるシートカッターを発明した。
【先行技術文献】
【特許文献】
【０００３】
【特許文献１】特開２０１１−１６１１９３号公報
【発明の概要】
【発明が解決しようとする課題】
【０００４】
これは次のような欠点があった。図４は従来のシートカッターを示す図である。従来は１２に示すように同一平面上に刃を入れていたため、カッターナイフの刃を使用する際、いずれか一方の刃を小さく折らないと両方の刃が同一平面に入らず、刃の交換が多く手間がかかった。また、両方の刃を折らずに同一平面上に配置すると、刃同士を交差させないようシートカッター自体の大きさを大きくしなければならないため、短い距離のシートクロス切断などで使いづらいという欠点があった。本発明は、以上のような欠点をなくすためになされたものである。
【課題を解決するための手段】
【０００５】
本発明は上記目的を達成するために、本体部の中板の片面にカッター刃が通る溝を設け、本体部の逆面に立体的に傾斜をつけたカッター刃の台を設け、前記カッター刃を、前記溝と台の上で交差スライドさせ、ガイド板の同一面に刃先が出せるようにしたことを特徴とする。本発明は以上の構成よりなる立体構造シートカッターである。
【０００６】
すなわち、請求項１に係る本発明は、第１の刃と、第２の刃と、前記第１の刃と前記第２の刃を収納する本体と、前記本体と接続されたガイド板を有し、少なくとも前記第１の刃の一部は、少なくとも前記第２の刃の一部と立体的に交差することを特徴とする。これにより、一方の刃を折ることなく、かつ、シートカッター本体をコンパクトにすることができる。
【０００７】
請求項２に係る本発明は、前記ガイド板は、前記本体と可動的に接続されており、前記本体が前記ガイド板に対して可動することにより前記第１の刃又は前記第２の刃の位置が前記ガイド板に対して変化することを特徴とする。これにより、直定規とカッターナイフを使用しなくとも、シートをきれいに切断することができる。
【０００８】
請求項３に係る本発明は、前記第１の刃の先端と前記第２の刃の先端を結んだ線と、ガイド板は略平行であることを特徴とする。これにより、２つの刃を立体的に交差させつつ、いずれの方向に刃を滑らせても切断面がずれることなく切ることができる。
【０００９】
請求項４に係る本発明は、前記ガイド板は、前記第１の刃又は前記第２の刃よりも外側の位置で本体に可動的に接続されることを特徴とする。これにより、ガイド板の厚さを自由に調整することができる。
【００１０】
請求項５に係る本発明は、前記ガイド板をローラー状にしたことを特徴とする。これにより、クロスとの摩擦を少なくすることができ、摩擦によるクロスの引っ張り、破れ等をさらに軽減することができる。
【００１１】
請求項６に係る本発明は、前記ガイド板の中央部が凹状であることを特徴とする。これにより、クロスとの接触する面積を減少させ、摩擦抵抗を少なくすることができるため、ガイド板との摩擦によるクロスの引っ張り、破れなどが軽減される。
【発明の効果】
【００１２】
以上のように本発明によれば、カッター刃を立体的に交差させて入れることができるので、シートカッター本体をコンパクトで作業に適した大きさのまま、長いカッター刃を入れることができる。これにより刃の交換が減少し、作業効率が向上する。
【図面の簡単な説明】
【００１３】
【図１】本発明の分解斜視図である。
【図２】本発明の傾斜台側斜視図である。
【図３】本発明のガイド板側平面図である。
【図４】従来のシートカッターの分解斜視図である。
【図５】針金状のガイド部分の斜視図である。
【図６】ローラー状のガイド部分の斜視図である。
【図７】カッター刃を平行に交差させた分解斜視図である。
【図８】凹状部分を有するガイド板側面図である。
【発明を実施するための形態】
【００１４】
以下、図面を参照しながら、本発明を実施するための形態について説明する。なお、本明細書及び図面においては、同一の符号が付された構成要素は、実質的に同一の構造または機能を有するものとする。
【００１５】
図１は、本発明にかかるシートカッターの一例としての構成を示す斜視図である。１は本体の一部を構成する中板であり、少なくとも後面カッター刃４の一部と少なくとも前面カッター刃５の一部が立体的に交差するようにして中板１に収納される。
【００１６】
２は後面カッター刃４がスライドするためのスライド溝である。３は前面カッター刃５がスライドするためのスライド傾斜台である。このように、傾斜台を設けたことにより、中板１に対してカッター刃５が傾斜角を有することになり、前面及び後面のカッター刃４及び５が立体的に交差することができ、一方を折らずとも、両方に長いカッター刃を入れることができる。前面及び後面のカッター刃４及び５は、傾斜角をつけずに平行の状態で交差してもよいし、少なくとも一方に傾斜角をつけたねじれの位置にあってもよい。
【００１７】
８は中板１と対になる後面カバー、６はガイド板である。ガイド板６は、シャフトネジ１１を軸にして可動的に本体と外側で接合される。図１に示すように、シャフトネジは円弧状に、ある程度の可動領域を有するように接合され、ガイド板６が外部からの力により押されても、外部からの力が働かなくなった場合には、ガイド板６が元の位置に戻るようになっている。これにより、ノンスプリットシートなどの表面の凹凸にガイド板６を合わせることにより、シャフトネジ１１を軸に本体が傾き、本体に接合されたカッターの刃先がシート表面に出てくる。カッターの刃先はガイド板の面に近接しており、シートを切断する際にガイド板の近傍を切断することができるような位置となっている。
【００１８】
従来のシートカッターではガイド板６は中板１と後面カバー８の間に挟まれるようにして接合されていた。かかる構造では、ガイド板を簡単に交換することができないという欠点があった。また、本体との厚さとの関係で、ガイド板の厚さを自由に変えることができないという欠点があった。すなわち、ガイド板の厚さが厚くなると、それを挟むように本体に接合されているカッター刃４と５の距離が遠くなり、カッター刃４と５が同一の切断面を切断することができなくなってしまうという欠点があった。そこで、本発明ではガイド板６を本体の外側に取り付けることにより、ガイド板６の厚さを自由に変えることができるようにした。これにより、クロスを切り残す長さをガイド板の厚さと同じように調整することができる。
【００１９】
７はカッターの刃をスライドさせるカッター刃ホルダーである。従来はカッター刃の固定方式についてはネジ式による固定方式が用いられており、カッター刃４及び５を微調整して最適な位置に固定することに手間がかかったが、このようにスライド式にすることにより、より簡単にカッター刃の位置を調整することができるようになる。
【００２０】
図２は、本発明にかかるシートカッターの傾斜台側から見た斜視図である。前面カッター刃５と後面カッター刃４を本体から少し出すことにより、前面カッター刃先９及び後面カッター刃先１０が出ることになる。このように、刃先を両方向に出すことができるようにしたことで、図２のＡ方向を進行方向としてクロスを切断する際は後面カッター刃先１０が、Ｂ方向を進行方向としてクロスを切断する際は前面カッター刃先９が、シャフトネジ１１を軸に本体を傾けることでガイド板６の側面から出てくる。この際、前面カッター刃先９と後面カッター刃先１０を結ぶ直線、すなわち図２に示すＡとＢを結ぶ直線が、ガイド板と平行でないと、クロスの切断部分がずれてしまう。そこで本発明では、少なくとも前面カッター刃５の一部と少なくとも後面カッター刃４の一部が立体的に交差しつつ、それぞれの刃先を、ＡとＢを結んだ直線上に配置するようにした。これにより、凹凸に沿わせ滑らせてノンスプリットシートや壁紙などを切断する時、Ａ、Ｂ方向どちら向きに切断しても、同一線上を刃先９と刃先１０が通過するので、切る方向を変えても切断部分がずれることがない。
【００２１】
図３は、本発明にかかるシートカッターを側面から見た図である。中板１にはシャフトネジ１１が可動できるような可動域が設けられている。また、ガイド板６はカッター刃が出る端部分以外の中央部は凹状にへこんでいる。これにより、切断の際、クロスとの接触する面積を減少させ、摩擦抵抗を少なくすることができるため、ガイド板６との摩擦によるクロスの引っ張り、破れなどが軽減される。
【００２２】
図５は、ガイド板６を針金状にした第２実施形態である。この実施形態では、ガイド板６を針金状のガイド１３に置き換えている。これにより、ガイド板の軽量化を図ることができる。また、簡単に曲げることができるので、ガイド板の微調整が容易である。
【００２３】
図６は、円盤状のローラーをガイドとして使用した第３実施形態である。この実施形態では、ガイド板６をローラー状のガイド１４に置き換えている。これにより、切断の際、クロスとの摩擦を少なくすることができ、摩擦によるクロスの引っ張り、破れ等をさらに軽減することができる。
【００２４】
図７は、本発明にかかるシートカッターの変形例として、カッター刃を平行に交差させた斜視図である。カッター刃を平行に交差させた場合、図１のようにスライド傾斜台３を用いた場合と異なり、後面カッター刃４と前面カッター刃５の刃先が、図２におけるＡとＢを結んだ直線上に並ばず、ガイド板とも平行ではなくなるので、切断部分がずれてしまう。そこで変形例では、ガイド板６の一部を図に示すように曲げることにより、刃の側面に接するようにし、同一直線上を切ることができるようにした。
【００２５】
図８は、ガイド板６を、凹状部分を有するようにした第４実施形態である。この実施形態では、ガイド板の中央に凸状部分を設け、その両脇に凹状部分を有するようにしたことにより、入り角のシートクロスを切断する時などに折り目を強く入れることができる。さらに、段差の少ない部分にも沿わせ、滑らせることによりシートが切断しやすくなる。
【００２６】
本発明は以上のような構造である。この立体構造により、コンパクトな本体にでも長いカッター刃などを組み入れることができるので、刃の交換が少なくなり、作業効率が向上する。
【００２７】
以上、図面を参照しながら本発明の好適な実施の形態について説明したが、本発明は上述した形態に限定されない。すなわち、特許請求の範囲に記載された発明の範囲内で当業者が想到し得る他の形態または各種の変更例についても本発明の技術的範囲に属するものと理解される。
【符号の説明】
【００２８】
１    中板（本体）
２    スライド溝
３    スライド傾斜台
４    後面カッター刃
５    前面カッター刃
６    ガイド板
７    カッター刃ホルダー
８    後面カバー（本体）
９    前面カッター刃先
１０  後面カッター刃先
１１  シャフトネジ
１２  カッター刃
１３  針金状のガイド
１４  ローラー状のガイド
１５  凹状部分を有するガイド板
【図１】
2014113447.tif 000003
【図２】
2014113447.tif 000004
【図３】
2014113447.tif 000005
【図４】
2014113447.tif 000006
【図５】
2014113447.tif 000007
【図６】
2014113447.tif 000008
【図７】
2014113447.tif 000009
【図８】
2014113447.tif 000010